(57)【特許請求の範囲】
【請求項１】
独立柱に沿って配設される一対の鋼製天井フレームのランナー野縁と野縁もしくは野縁と野縁を連結する連結金具であって、下方水平片と、この下方水平片から上方に向けて折曲され、鋼製天井フレームのランナー野縁もしくは野縁の高さに相当する高さの左右一対の垂直片と、これらの垂直片からそれぞれ外方に向けて折曲され、鋼製天井フレームのランナー野縁もしくは野縁の幅を越える長さの左右一対の上方水平片からなり、上方水平片には、垂直片側からランナー野縁もしくは野縁の幅に相当する幅を隔てた端縁部の位置に長穴が形成され、これら下方水平片、垂直片および上方水平片を鋼製天井フレームのランナー野縁もしくは野縁の三面に沿わせた状態で上方水平片の端縁部をそのランナー野縁もしくは野縁の他の一面に沿って折曲可能に構成されるとともに、下方水平片を通してランナー野縁もしくは野縁にビス固定できるようになされたことを特徴とする鋼製天井フレームの連結金具。
【発明の詳細な説明】
【０００１】
【発明の属する技術分野】
本発明は、鋼製天井フレームの連結金具に関するものである。
【０００２】
【従来の技術】
一般に、天井は、梁間に渡した吊り木受けと天井板が貼り付けられた野縁との間を吊り木で接続するとともに、間仕切りパネルに設けた廻縁で天井板の周縁を固定して構成されている。このような天井構造の場合、間仕切りパネルで仕切った部屋毎に吊り木受け、天井板、野縁、吊り木および廻縁の施工を行わなければならず、多くの作業時間が必要となるばかりでなく、費用が嵩むという問題があった。
【０００３】
このため、木桟材を矩形に枠組みしてパネル化し、この天井パネルを連結して天井を施工した後、間仕切りパネルで間仕切りすることが提案されている。そして、このような天井パネルを天井吊り金具で梁に吊り下げ、天井を形成することが知られている（出願人の出願に係る特開平６−１９３１８８公報参照）。
【０００４】
一方、天井パネルで天井を形成した場合、独立柱の周縁では、独立柱の厚みに相当する幅と、天井パネルの長さに相当する長さの隙間が発生することから、独立柱に沿って間仕切りパネルを立設しようとすると、前述した隙間によって間仕切りパネルを固定することができない。このため、独立柱を挾むように天井パネルの木桟材に２枚の添え板を設け、この添え板に間仕切りパネルを固定するようにした天井構造が出願人から提案されている（特開平６−１９３１８５公報参照）。
【０００５】
【発明が解決しようとする課題】
しかしながら、独立柱に沿って配設される一対の天井パネルは、独立柱の厚みに相当する間隔だけ離れることから、これらの天井パネルを天井吊り金具を介して連結しつつ梁に吊り下げることはできず、その枠組みを形成する木桟材の、独立柱から離れた側が天井吊り金具で吊り下げられるのみの片持ち状態となっている。このため、独立柱部においては、天井パネルの連結状態が分断されて天井の強度が低下する他、独立柱に沿う自由端側の木桟材が天井パネルの自重によって垂れ下がり、間仕切りパネルを配設する際の天井パネルの高さ調整が困難になるという問題があった。
【０００６】
なお、天井の不燃化および天井下地強度の向上を目的として、出願人は、特開平６−２４０８０２号公報に記載されるように、鋼材を矩形に枠組みして鋼製天井フレームを形成し、この鋼製天井フレームを天井吊り金具で梁に吊り下げて天井を施工することも提案しているが、独立柱部に対応させる点については記載されていない。
【０００７】
本発明は、このような問題点に鑑みてなされたもので、独立柱に沿って配設される一対の鋼製天井フレームあるいは鋼製天井フレームの隣接する鋼材を簡単に連結して一体化させることのできる鋼製天井フレームの連結金具を提供するものである。
【０００８】
【課題を解決するための手段】
前述した目的を達成するために、本発明は、独立柱に沿って配設される一対の鋼製天井フレームのランナー野縁と野縁もしくは野縁と野縁を連結する連結金具であって、下方水平片と、この下方水平片から上方に向けて折曲され、鋼製天井フレームのランナー野縁もしくは野縁の高さに相当する高さの左右一対の垂直片と、これらの垂直片からそれぞれ外方に向けて折曲され、鋼製天井フレームのランナー野縁もしくは野縁の幅を越える長さの左右一対の上方水平片からなり、上方水平片には、垂直片側からランナー野縁もしくは野縁の幅に相当する幅を隔てた端縁部の位置に長穴が形成され、これら下方水平片、垂直片および上方水平片を鋼製天井フレームのランナー野縁もしくは野縁の三面に沿わせた状態で上方水平片の端縁部をそのランナー野縁もしくは野縁の他の一面に沿って折曲可能に構成されるとともに、下方水平片を通してランナー野縁もしくは野縁にビス固定できるようになされたことを特徴とするものである。
【０００９】
【発明の実施の形態】
以下、本発明の実施の形態を図面に基づいて説明する。
【００１０】
図１には、本発明の連結金具１が示されており、この連結金具１は、後述するように、独立柱Ｐ（図３参照）に沿って配設された一対の鋼製天井フレーム２を連結するもので、薄板を折曲することによって正面から見て略逆Π字状に形成されている。具体的には、一方の鋼製天井フレーム２の枠組みを形成するランナー野縁４の底面と、他方の鋼製天井フレーム２の枠組みを形成する野縁５の底面にわたる長さを有する下方水平片１１と、独立柱Ｐの厚みに相当する間隔をおいて下方水平片１１から上方に向けて折曲され、鋼製天井フレーム２のランナー野縁４および野縁５の高さに相当する高さの左右一対の垂直片１２と、これらの垂直片１２からそれぞれ外方に向けて折曲され、鋼製天井フレーム２のランナー野縁４および野縁５の幅を越える長さの左右一対の上方水平片１３からなり、各上方水平片１３における鋼製天井フレーム２のランナー野縁４および野縁５の幅に相当する位置には、長手方向に沿って長穴１３ａが形成されている。
【００１１】
一方、鋼製天井フレーム２は、図２に示すように、亜鉛メッキ鋼板をロール成形によって断面コ字状に折曲された２本のランナー３、断面略Ｃ字状に折曲された１本のランナー野縁４および断面略方形に折曲された複数本の野縁５を組み合わせて形成されている。具体的には、２本のランナー３，３をその溝部が対向するように配置し、これらのランナー３の一端にランナー野縁４をその溝部が内方を向くように配置して下側からビス止めし、また、ランナー３の他端に野縁５を下側からビス止めして矩形の枠組みを形成する一方、この枠組みを形成するランナー野縁４および野縁５間に１本もしくは複数本の野縁５を粘着テープなどでランナー３に仮止めして構成されている。そして、ランナー３に嵌め込まれた野縁５は、粘着テープを除去することによってランナー３の溝部に沿って摺動可能である他、鋼製天井フレーム２の枠組みを形成するランナー野縁４および野縁５は、ビスを抜くことによってランナー３との固定を解除することができ、ランナー３との固定位置を調整したり、ランナー３の端縁部を切断した後、再びそれらの他端間にビス止めできるようになっている。また、ランナー野縁４の側面および野縁５の側面には、凹凸部（図１参照）が形成されて曲げ強度の向上が図られている。
【００１２】
この鋼製天井フレーム２は、天井の大きさに合わせることができるように、縦寸法と横寸法が標準化されており、例えば、ほぼ畳１畳に相当する１ｍ×２ｍを基準として複数種類の大きさが用意されている。
【００１３】
したがって、後述するように、天井吊り金具１０を介して鋼製天井フレーム２を吊り下げ、天井を形成する場合、独立柱Ｐに沿って配設された鋼製天井フレーム２については、図３に示すように、連結金具１を独立柱Ｐに沿って配設された一対の鋼製天井フレーム２，２にその下側からあてがうとともに、一方の上方水平片１３を押し開いて一方の鋼製天井フレーム２のランナー野縁４に嵌め込み、連結金具１の下方水平片１１、垂直片１２および上方水平片１３をそれぞれランナー野縁４の下面、外側面および上面の三面に接触させる。同様に、他方の上方水平片１３を押し開いて他方の鋼製天井フレーム２の野縁５に嵌め込み、連結金具１の下方水平片１１、垂直片１２および上方水平片１３をそれぞれ野縁５の下面、外側面および上面の三面に接触させる。
【００１４】
この後、各上方水平片１３の端縁部を一方の鋼製天井フレーム２のランナー野縁４の内側面および他方の鋼製天井フレーム２の野縁５の内側面にそれぞれ沿うように下方に向けて折り曲げることにより、連結金具１を一方の鋼製天井フレーム２のランナー野縁４および他方の鋼製天井フレーム２の野縁５のそれぞれの周囲を包囲して取り付ける。この際、上方水平片１３には、ランナー野縁４もしくは野縁５の幅に相当する位置に長穴１３ａが形成されていることから、この長穴１３ａに沿って容易に折り曲げることができる。
【００１５】
次いで、下方水平片１１を通して一方の鋼製天井フレーム２のランナー野縁４および他方の鋼製天井フレーム２の野縁５にビス打ちすることにより、独立柱Ｐに沿って配設された一対の鋼製天井フレーム２を一体に連結することができる。
【００１６】
この結果、独立柱Ｐによって分断された一対の鋼製天井フレーム２を一体化させることが可能となり、天井強度の低下を抑えることができるとともに、独立柱Ｐに沿う一方の鋼製天井フレーム２のランナー野縁４および他方の鋼製天井フレーム２の野縁５の垂れ下がりを防止することができる。
【００１７】
連結金具１による一対の鋼製天井フレーム２の連結が終了すれば、連結金具１の下方水平片１１に接して頭つなぎ６（図４参照）をビス打ちした後、図示しない間仕切りパネルを床パネル（図示せず）、頭つなぎ６および独立柱Ｐあるいは隣接する間仕切りパネルに釘打ちし、間仕切りすればよい。
【００１８】
なお、鋼製天井フレーム２を梁Ｈ（図６参照）に吊り下げる天井吊り金具１０は、図５に示すように、梁Ｈに取り付け可能な吊り金具１１と、鋼製天井フレーム２の枠組みを形成する野縁５に嵌め込み可能な野縁金具１２と、吊り金具１１に螺合された連結ボルト１３と、この連結ボルト１３に螺合され、野縁金具１２を挾持する一対のナット１４から構成されている。
【００１９】
吊り金具１１は、梁Ｈのフランジｈに差し込み可能な切欠開口部１１１ａが形成された断面略コ字状の吊り金具本体１１１と、この吊り金具本体１１１の切欠開口部１１１ａの上方に位置して螺合された蝶ボルト１１２からなり、吊り金具本体１１１の切欠開口部１１１ａの底縁は、鋸刃状に形成されている。また、吊り金具本体１１１には、切欠開口部１１１ａと対向する端縁近傍において、バーリング加工により連結ボルト１３が螺合可能な雌ネジ１１１ｂが形成されている。
【００２０】
野縁金具１２は、鋼製天井フレーム２の枠組みを形成する野縁５の外周面を包囲できるように略ｂ字状に折曲された野縁金具本体１２１と、この野縁金具本体１２１にスポット溶接で一体に溶着された断面Ｌ字状の取付金具１２２からなり、野縁金具本体１２１は薄板で、取付金具１２２はそれよりも厚板でそれぞれ形成されている。そして、野縁金具本体１２１および取付金具１２２には、連結ボルト１３を挿通させることのできる穴がそれぞれ形成されており、これらの穴に連結ボルト１３が挿通された際、連結ボルト１３に螺合された一対のナット１４を介して野縁金具本体１２１と取付金具１２２とを上下から挾み込み、挾持できるようになっている。
【００２１】
このように構成した天井吊り金具１０を用いて鋼製天井フレーム２を吊り下げるには、まず、梁Ｈに対する鋼製天井フレーム２の取り付け高さに合わせて吊り金具本体１１１の切欠開口部１１１ａの鋸刃状底縁と上方のナット１４との間隔を予め調整しておく。この後、天井吊り金具１０における野縁金具本体１２１を取付金具１２２に対して押し開き、鋼製天井フレーム２の枠組みを形成する野縁５の、ランナー３近傍に外側から嵌め込む。そして、連結ボルト１３を野縁金具本体１２１および取付金具１２２に形成された穴に挿通させた後、連結ボルト１３にナット１４を螺合させ、野縁金具１２を取り付ける。
【００２２】
次いで、図示しない仮止め治具を梁Ｈのフランジｈに取り付けた後、この仮止め治具に鋼製天井フレーム２の一方のランナー３を差し込んで仮に保持し、鋼製天井フレーム２を仮止め治具を中心に上方に持ち上げる。そして、予め内壁枠の壁面に墨出しした墨出し線に鋼製天井フレーム２の枠組みを形成する他方のランナー３およびランナー野縁４をそれぞれ沿わせた後、これらの他方のランナー３およびランナー野縁４をその溝部を通して内壁枠の壁面コーナー部にビス打ちする。鋼製天井フレーム２の他方のランナー３およびランナー野縁４のビス打ちが終了すれば、吊り金具１０における吊り金具本体１１１の切欠開口部１１１ａを梁Ｈのフランジｈに差し込んだ後、蝶ボルト１１２を締め付けて天井吊り金具１０を梁Ｈに固定する。
【００２３】
この結果、１枚目の鋼製天井フレーム２の枠組みを形成する他方のランナー３およびランナー野縁４が内壁枠の壁面にビス打ちされ、その枠組みを形成する野縁５が梁Ｈに天井吊り金具６を介して吊り下げられるものである。この後、仮止め治具を外して１枚目の鋼製天井フレーム２の取り付けが完了する。
【００２４】
次に、２枚目の鋼製天井フレーム２を取り付けるには、同様に梁Ｈのフランジｈに仮止め治具を取り付けた後、この仮止め治具に鋼製天井フレーム２の一方のランナー３を差し込んで仮に保持する。次いで、鋼製天井フレーム２を仮止め治具を中心に上方に持ち上げ、内壁枠の壁面に付けられた墨出し線と１枚目の鋼製天井フレーム２の枠組みを形成する野縁５に、２枚目の鋼製天井フレーム２の枠組みを形成する他方のランナー３およびランナー野縁４をそれぞれ沿わせた後、他方のランナー３を内壁枠の壁面に、ランナー野縁４を１枚目の鋼製天井フレーム１１の枠組みを形成する野縁５にそれぞれその溝部を通してビス打ちする。そして、天井吊り金具１０における吊り金具本体１１１の切欠開口部１１１ａを梁Ｈのフランジｈに差し込んだ後、蝶ボルト１１２を締め付けて天井吊り金具１０を梁Ｈに固定する。この結果、２枚目の鋼製天井フレーム２の枠組みを形成する他方のランナー３が内壁枠の壁面にビス打ちされ、そのランナー野縁４が１枚目の鋼製天井フレーム２の枠組みを形成する野縁５にビス打ちされ、さらに、その野縁５が梁Ｈに天井吊り金具１０を介して吊り下げられる。この後、仮止め治具を外して２枚目の鋼製天井フレーム２の取り付けが完了する（図６参照）。
【００２５】
同様にして、３枚目以降の鋼製天井フレーム２についても、その枠組みを形成する他方のランナー３とランナー野縁４をそれぞれ内壁枠の壁面に付けられた墨出し線と前段の鋼製天井フレーム２にビス打ちし、鋼製天井フレーム２の枠組みを形成する野縁５を梁Ｈに天井吊り金具１０を介して吊り下げる。そして、他方の内壁枠の壁面コーナー部に達すれば、鋼製天井フレーム２の枠組みを形成する野縁５についても内壁枠の壁面にビス打ちすればよい。
【００２６】
このようにして天井を施工した後、間仕切りパネルを配設するため、床面からの天井高さを調整する場合は、その設定寸法に合わせて連結ボルト１３の下端に形成された溝にドライバーを差し込んで回転させることにより、梁Ｈに取り付けられた吊り金具１１に対して連結ボルト１３を昇降させ、下側のナット１４を位置決めする。そして、天井高さの調整が終了すれば、前述したように、独立柱Ｐに沿って配設された一対の鋼製天井フレーム２にわたって連結金具１を取り付けて一体化させ、独立柱Ｐに沿う一方の鋼製天井フレーム２のランナー野縁４および他方の鋼製天井フレーム２の野縁５の垂れ下がりを防止する。
【００２７】
この後、頭つなぎ６をその端面が独立柱Ｐに、その上面が連結金具１の下方水平片１１にそれぞれ接するように配置してビス打ちし、次いで、図示しない間仕切りパネルを頭つなぎ６および独立柱Ｐに沿って配置してビス打ちし、間仕切りする。この後、上側のナット１４を締め付けて野縁金具１２を一対のナット１４で挾み込み、挾持することにより、調整された天井高さに固定することができる。
【００２８】
なお、前述した実施形態においては、独立柱Ｐに沿う一方の鋼製天井フレーム２のランナー野縁４および他方の鋼製天井フレーム２の野縁５を連結金具１で連結する場合を説明したが、一の鋼製天井フレーム２を構成するランナー野縁４と野縁５あるいは野縁５，５を連結する場合にも使用することができる。例えば、重量のある照明器具などを天井に吊り下げる場合において、連結金具１を、その下方水平片１１に下地材をビス打ちした状態で鋼製天井フレーム２のランナー野縁４と野縁５あるいは野縁５，５に取り付けることにより、照明器具などを天井ボードを通して下地材にビス止めして吊り下げることが可能となる。
【００２９】
【発明の効果】
以上のように本発明によれば、上方水平片の端縁部を折曲させて、鋼製天井フレーム間のランナー野縁もしくは野縁に連結金具を固定できるとともに、鋼製天井フレーム間のランナー野縁もしくは野縁に、連結金具の下方水平片を通してビス固定することができるようになされている。したがって、独立柱に沿って配設される鋼製天井フレーム間のランナー野縁もしくは野縁に、連結金具の下方水平片を通してビス固定するまでの間、上方水平片の端縁部を折曲させて、鋼製天井フレーム間のランナー野縁もしくは野縁に連結金具を仮固定した状態に位置決めしておくことができ、簡単に鋼製天井フレーム同士を連結することができる。また、この連結金具は、ランナー野縁もしくは野縁の上方からは上方水平片によって折曲げ固定し、下方からは下方水平片を通してビス固定するので鋼製天井フレーム間を強固に固定することができる。
【図面の簡単な説明】
【図１】本発明の連結金具を鋼製天井フレームとともに示す斜視図である。
【図２】鋼製天井フレームを示す斜視図である。
【図３】独立柱に沿って配設された一対の鋼製天井フレームに連結金具を取り付ける場合の斜視図である。
【図４】図３の連結金具に頭つなぎを取り付ける場合の斜視図である。
【図５】鋼製天井フレームの天井吊り金具を示す分解斜視図である。
【図６】天井吊り金具を介して梁に吊り下げられた鋼製天井フレームによる天井を示す斜視図である。
【符号の説明】
１  連結金具
１１  下方水平片
１２  垂直片
１３  上方水平片
２  鋼製天井フレーム
３  ランナー
４  ランナー野縁
５  野縁
１０  天井吊り金具
Ｈ  梁
Ｐ  独立柱
【図１】
0003649806.tif 000002
【図２】
0003649806.tif 000003
【図３】
0003649806.tif 000004
【図４】
0003649806.tif 000005
【図５】
0003649806.tif 000006
【図６】
0003649806.tif 000007